(57)【要約】【課題】マルチパス等の妨害除去処理が適切に行われる通信システムを提供する。【解決手段】出力信号ＯＵＴの強度と基準強度ＲＥＦとの差に応じて出力信号ＯＵＴに対するＣＭＡの適応等価器におけるウエイト値をステップサイズ毎に増減させるＦＢ側等化器２０４を備え、ウエイト値の合計値が第１の閾値以上となった場合に合計値が第１の閾値未満である場合に比べてステップサイズを小さくする。【選択図】図１
2012023525.tif 000002
【特許請求の範囲】
【請求項１】
定振幅変調に対するＣＭＡに基づく適応等価器を用いた通信システムであって、
出力信号の強度と基準強度との差に応じて前記出力信号に対するＣＭＡの適応等価器におけるウエイト値を増減させるフィードバック側等化器を備え、
前記ウエイト値の合計値がステップサイズ閾値以上となった場合に前記合計値が前記ステップサイズ閾値未満である場合に比べて前記ステップサイズを小さくすることを特徴する通信システム。
【請求項２】
定振幅変調に対するＣＭＡに基づく適応等価器を用いた通信システムであって、
出力信号の強度と基準強度との差に応じて前記出力信号に対するＣＭＡの適応等価器におけるウエイト値を増減させるフィードバック側等化器を備え、
前記ウエイト値の合計値が更新閾値以上となった場合に前記ウエイト値の増加を停止することを特徴する通信システム。
【請求項３】
定振幅変調に対するＣＭＡに基づく適応等価器を用いた通信システムであって、
出力信号の強度と基準強度との差に応じて前記出力信号に対するＣＭＡの適応等価器におけるウエイト値を増減させるフィードバック側等化器を備え、
前記ウエイト値の合計値がリセット閾値以上となった場合に前記ウエイト値を初期値にリセットすることを特徴する通信システム。
【請求項４】
定振幅変調に対するＣＭＡに基づく適応等価器を用いた通信システムであって、
出力信号の強度と基準強度との差に応じて入力信号に対するＣＭＡの適応等価器におけるウエイト値を増減させるフィードフォワード側等化器を備え、
前記ウエイト値の少なくとも一つに０より大きい下限値を設定し、当該ウエイト値が前記下限値以下とならないように増減を行うことを特徴する通信システム。
【請求項５】
定振幅変調に対するＣＭＡに基づく適応等価器を用いた通信システムであって、
出力信号の強度と基準強度との差に応じて入力信号に対するＣＭＡの適応等価器におけるウエイト値を増減させるフィードフォワード側等化器を備え、
前記適応等価器の直接波に対するウエイト値のステップサイズを他のウエイト値に対するステップサイズより小さくすることを特徴する通信システム。
【発明の詳細な説明】
【技術分野】
【０００１】
本発明は、定振幅変調に対するＣＭＡに基づく適応等価器を用いた通信システムに関する。
【背景技術】
【０００２】
ＦＭ放送等の定振幅信号の通信システムにおいて、定包絡線アルゴリズム（ＣＭＡ：Constant Modulus Algorism)に基づく適応等化器を用いたマルチパス等の妨害除去処理が行われている。
【０００３】
図８は、従来の通信システムにおける妨害除去回路１００の構成を示す図である。妨害除去回路１００は、フィードフォード（ＦＦ）側等化器１０、フィードバック（ＦＢ）側等化器１２、加算部１４及び誤差算出部１６を備える。
【０００４】
ＦＦ側等化器１０は、ウエイト算出部及びフィルタ部を備える。ウエイト算出部は、入力信号ＩＮ及び誤差算出部１６からの誤差信号ＥＲＲを受けて、入力信号ＩＮ及び誤差信号ＥＲＲの値に応じてフィルタ部におけるウエイトを決定する。フィルタ部は、複数の遅延素子を直列に接続した遅延ラインを含み、各遅延素子からの出力にウエイト算出部で決定されたウエイトを乗算したうえで加算して出力する。ＦＢ側等化器１２は、ウエイト算出部及びフィルタ部を備える。ウエイト算出部は、出力信号ＯＵＴ及び誤差信号ＥＲＲを受けて、出力信号ＯＵＴ及び誤差信号ＥＲＲの値に応じてフィルタ部におけるウエイトを決定する。フィルタ部は、複数の遅延素子を直列に接続した遅延ラインを含み、各遅延素子からの出力にウエイト算出部で決定されたウエイトを乗算したうえで加算して出力する。ＦＦ側等化器１０及びＦＢ側等化器１２からの出力は加算部１４で加算され出力信号ＯＵＴとして出力される。誤差算出部１６は、レベル検出部及び加算器を含んで構成される。レベル検出部は、出力信号ＯＵＴを受けて、出力信号ＯＵＴの振幅を検出して加算器へ出力する。加算器は、レベル検出部で検出された出力信号ＯＵＴのレベルと基準強度ＲＥＦとの差分を算出し誤差信号ＥＲＲとして出力する。
【発明の概要】
【発明が解決しようとする課題】
【０００５】
ここで、ＦＢ側等化器１２は、出力信号ＯＵＴに応じて発振器として動作し得る構成となっている。一方、ＦＦ側等化器１０は、入力信号ＩＮを除去するように動作し得る構成となっている。
【０００６】
したがって、ＦＦ側等化器１０において完全に入力信号ＩＮが除去される状態となった場合、ＦＢ側等化器１２が誤差算出部１６における基準強度ＲＥＦとの差分が０となるように発振すると定包絡線アルゴリズムの基準が完全に満たされることになる。このような状態では、出力信号ＯＵＴは、入力信号ＩＮと無関係にＦＢ側等化器１２の発振状態のみに依存することになり、入力信号に対するマルチパス等の妨害除去処理は適切に行われない。このような状態では、ＦＭ放送の受信においては音声出力が無音となる等の問題が生ずる。
【課題を解決するための手段】
【０００７】
本発明の１つの態様は、定振幅変調に対するＣＭＡに基づく適応等価器を用いた通信システムであって、出力信号の強度と基準強度との差に応じて前記出力信号に対するＣＭＡの適応等価器におけるウエイト値を増減させるフィードバック側等化器を備え、前記ウエイト値の合計値がステップサイズ閾値以上となった場合に前記ステップサイズを前記合計値が前記ステップサイズ閾値未満である場合に比べて小さくすることを特徴する。
【０００８】
本発明の１つの態様は、定振幅変調に対するＣＭＡに基づく適応等価器を用いた通信システムであって、出力信号の強度と基準強度との差に応じて前記出力信号に対するＣＭＡの適応等価器におけるウエイト値を増減させるフィードバック側等化器を備え、前記ウエイト値の合計値が更新閾値以上となった場合に前記ウエイト値の増加を停止することを特徴する。
【０００９】
本発明の１つの態様は、定振幅変調に対するＣＭＡに基づく適応等価器を用いた通信システムであって、出力信号の強度と基準強度との差に応じて前記出力信号に対するＣＭＡの適応等価器におけるウエイト値を増減させるフィードバック側等化器を備え、前記ウエイト値の合計値がリセット閾値以上となった場合に前記ウエイト値を初期値にリセットすることを特徴する。
【００１０】
本発明の１つの態様は、定振幅変調に対するＣＭＡに基づく適応等価器を用いた通信システムであって、出力信号の強度と基準強度との差に応じて入力信号に対するＣＭＡの適応等価器におけるウエイト値を増減させるフィードフォワード側等化器を備え、前記ウエイト値の少なくとも一つに０より大きい下限値を設定し、当該ウエイト値が前記下限値以下とならないように増減を行うことを特徴する。
【００１１】
本発明の１つの態様は、定振幅変調に対するＣＭＡに基づく適応等価器を用いた通信システムであって、出力信号の強度と基準強度との差に応じて入力信号に対するＣＭＡの適応等価器におけるウエイト値を増減させるフィードフォワード側等化器を備え、前記適応等価器の直接波に対するウエイト値のステップサイズを他のウエイト値に対するステップサイズより小さくすることを特徴する。
【発明の効果】
【００１２】
本発明によれば、定振幅変調に対するＣＭＡに基づく適応等価器を用いた通信システムにおける異常動作を抑制することができる。
【図面の簡単な説明】
【００１３】
【図１】第１の実施の形態における妨害除去回路の構成を示す図である。
【図２】第１の実施の形態におけるＦＦ等化器の構成を示す図である。
【図３】第１の実施の形態におけるＦＦ等化器のフィルタ部の構成を示す図である。
【図４】第１の実施の形態におけるＦＢ等化器の構成を示す図である。
【図５】第１の実施の形態におけるＦＢ等化器のフィルタ部の構成を示す図である。
【図６】第２の実施の形態における妨害除去回路の構成を示す図である。
【図７】第２の実施の形態におけるＦＢ等化器の構成を示す図である。
【図８】従来の妨害除去回路の構成を示す図である。
【発明を実施するための形態】
【００１４】
＜第１の実施の形態＞
本発明の実施の形態における通信システムは、ＣＭＡに基づく適応等価器を用いた妨害除去回路２００を含んで構成される。妨害除去回路２００は、図１に示すように、フィードフォード（ＦＦ）側等化器２０２、フィードバック（ＦＢ）側等化器２０４、加算部２０６及び誤差算出部２０８を含んで構成される。
【００１５】
ＦＦ側等化器２０２は、図２に示すように、ウエイト算出部２０、加算器２２、ウエイト用バッファ２４、下限制御部２６、マルチプレクサ２８，３０及びフィルタ部３２を含んで構成される。
【００１６】
ウエイト算出部２０は、入力信号ＩＮ及び誤差算出部２０８からの誤差信号ＥＲＲを受けて、入力信号ＩＮ及び誤差信号ＥＲＲの値に応じてフィルタ部３２で用いられる各タップ（ＴＡＰ）のウエイトの更新を行うか否かを決定する。例えば、フィルタ部３２において、Ｎタップのフィルタが用いられている場合、ウエイト算出部２０は入力信号ＩＮに対してフィルタ部と同数（Ｎ個）の遅延素子を直列に接続した遅延ラインを含み、各遅延素子からの出力及び誤差信号ＥＲＲの値及びステップサイズに応じてＮ個のウエイトの更新データを決定し出力する
【００１７】
加算器２２は、ウエイト用バッファ２４に格納されている各ウエイトの現在値にウエイト算出部２０で各ウエイトに対してそれぞれ決定された更新データを加算して出力する。ウエイト用バッファ２４は、フィルタ部３２におけるフィルタの各タップに対するウエイトの現在値を保持するメモリを含んで構成される。ウエイト用バッファ２４は、マルチプレクサ３０から各ウエイトの新たな値が出力される毎にその値をバッファリングする。フィルタ部３２は、フィルタ処理を行う際にウエイト用バッファ２４にバッファリングされている各ウエイトの値を読み出して使用する。
【００１８】
下限制御部２６は、フィルタ部３２及びウエイト用バッファ２４に設定されるウエイトのうち、指定したタップのウエイト値の下限を制限する。下限制御部２６は、マルチプレクサ２８を介して加算器２２から入力される指定ウエイトの新たな値が予め定められた指定ウエイトの下限値を下回る場合には、下限制御部２６は該当するウエイトの値を下限値に設定する。
【００１９】
この下限制御部２６を備えることにより、本実施の形態におけるＦＦ側等化器２０２は、フィルタ部３２における指定タップのウエイトの値が下限値より小さくならないように制御される。これによって、ＦＦ側等化器１０において完全に入力信号ＩＮが除去される状態を避けることができる。
【００２０】
マルチパスによるノイズ除去を目的とする場合、送信アンテナから直接届く直接波を通過させながら、山や構造物（ビル等）によって反射されつつ到来する反射波を除去することが好適である。すなわち、フィルタ部３２において、最も信号レベルが大きい到来波である直接波を通過させつつ、直接波に基づいて反射波を相殺するような信号を生成するようなウエイト構成（フィルタ係数）とすることが好適である。そこで、下限制御部２６では、フィルタ部３２において直接波の成分が消滅しないように、少なくとも直接波に対するタップのウエイトに対して下限値を設定し、ウエイトの値が下限値より小さくならないようにすることが好適である。
【００２１】
マルチプレクサ２８、３０は、ウエイト用バッファ２４及びフィルタ部３２に入力される各タップのウエイトのうち指定タップのウエイトに対してのみ下限制御部２６での下限制御を適用させるように各ウエイトに対する処理を制御している。具体的には、加算器２２からの出力のうち指定タップのウエイトのみ下限制御部２６へ出力し、その他のタップのウエイトに対しては下限制御を適用させない。マルチプレクサ３０からは、指定タップ以外の加算器２２の出力と下限制御部２６からの指定タップウエイト出力を合わせたフィルタ部３２のタップ数分のウエイトが出力される。
【００２２】
フィルタ部３２は、図３に示すように、シフト部３２ａ、ウエイト乗算部３２ｂ及び加算部３２ｃを含むＦＩＲフィルタから構成される。フィルタ部３２は、妨害除去回路２００に入力される通信システムの受信波からノイズを除去するフィルタとして機能する。
【００２３】
シフト部３２ａは、直並列に接続されたフリップ・フロップ素子等から構成され、受信波をサンプリングしてデジタル化された信号を受けて、受信波の時間的変動を順次シフトさせながら各タップのタップ値として保持及び出力する。ウエイト乗算部３２ｂは、シフト部３２ａの各タップに対して１つずつ設けられた乗算器で構成される。ウエイト乗算部３２ｂの各乗算器は、シフト部３２ａの各タップのタップ値に対してタップ毎に設定されたウエイトの値を乗算して出力する。各タップに対するウエイトの値は、上記のように、ウエイト用バッファ２４にタップ毎のウエイトの値としてバッファリングされているものである。加算部３２ｃは、ウエイト乗算部３２ｂの各乗算器から出力された値を加算して出力する。このようにして、ＦＦ側等化器２０２におけるフィードフォワード処理による受信波に対するノイズ除去が行われる。
【００２４】
ここで、本実施の形態におけるウエイト算出部２０は、直接波に対応するウエイト更新に用いるステップサイズと、それ以外（反射波）に対応するウエイト更新に用いるステップサイズと、を異ならせることも好適である。具体的には、直接波に対応するウエイト更新に用いるステップサイズをそれ以外（反射波）に対応するウエイト更新に用いるステップサイズよりも小さく設定する。すなわち、ウエイトの値を変更する際に、直接波に対するウエイトの値は反射波に対するウエイトの値よりも一度に大きく変化させず、入力信号ＩＮや誤差信号ＥＲＲの変化によって反射波の影響が除去される前に直接波が遮断されるような状況を回避させてもよい。
【００２５】
なお、ウエイト算出部２０におけるウエイトの値の下限値の設定及びステップサイズの設定はそれぞれ別に行ってもよいし、同時に行ってもよい。
【００２６】
ＦＢ側等化器２０４は、図４に示すように、ウエイト算出部４０、マルチプレクサ４２、加算器４４、ウエイト評価部４６、ウエイト用バッファ５２、フィルタ部５４、更新制御部５６、更新停止部５８及びマルチプレクサ６０を含んで構成される。
【００２７】
ウエイト算出部４０は、加算部２０６からの出力信号ＯＵＴ及び誤差算出部２０８からの誤差信号ＥＲＲを受けて、出力信号ＯＵＴ及び誤差信号ＥＲＲの値に応じてフィルタ部５４で用いられる各タップ（ＴＡＰ）のウエイトの更新を行うか否かを決定する。例えば、フィルタ部５４において、Ｎタップのフィルタが用いられている場合、ウエイト算出部４０は入力信号ＯＵＴに対してフィルタ部と同数（Ｎ個）の遅延素子を直列に接続した遅延ラインを含み、各遅延素子からの出力及び誤差信号ＥＲＲの値及びステップサイズに応じてＮ個のウエイトの更新データを決定し出力する。
【００２８】
加算器４４は、ウエイト用バッファ５２に格納されている各ウエイトの現在値にウエイト算出部４０で決定された各ウエイトに対する更新データを加算して出力する。マルチプレクサ４２は、更新停止部５８からの制御信号を受けて、加算器４４の出力値又はウエイト用バッファ５２に格納されている各ウエイトの現在値を切り替えて出力する。後述するように、ウエイト評価部４６において加算器４４から出力されたウエイトの値の合計値が第２の閾値（更新閾値）未満であると判定された場合に更新停止部５８はマルチプレクサ４２から加算器４４の出力値を更新されたウエイトの値として出力させ、ウエイト評価部４６において加算器４４から出力されたウエイトの値の合計値が第２の閾値（更新閾値）以上であると判定された場合に更新停止部５８はマルチプレクサ４２からウエイト用バッファ５２に格納されている各ウエイトの現在値を出力させる。
【００２９】
ウエイト評価部４６は、加算器４４から出力された新たなウエイトの値の評価を行う。ウエイト評価部４６は、加算器４４から出力されたウエイトの値の合計値が第１の閾値（ステップサイズ閾値）以上の場合に更新制御部５６に更新制御の信号を出力する。また、ウエイト評価部４６は、加算器４４から出力されたウエイトの値の合計値が第２の閾値（更新閾値）以上の場合に更新停止部５８に更新停止の信号を出力する。
【００３０】
ウエイト用バッファ５２は、フィルタ部５４におけるフィルタの各タップに対するウエイトの現在値を保持するメモリを含んで構成される。ウエイト用バッファ５２は、加算器４４から各ウエイトの新たな値が出力される毎にその値をバッファリングする。フィルタ部５４は、フィルタ処理を行う際にウエイト用バッファ５２にバッファリングされている各ウエイトの値を読み出して使用する。
【００３１】
フィルタ部５４は、図５に示すように、シフト部５４ａ、ウエイト乗算部５４ｂ及び加算部５４ｃを含むＦＩＲフィルタから構成される。フィルタ部５４は、妨害除去回路２００に入力される通信システムの受信波からノイズを除去するフィルタとして機能する。
【００３２】
シフト部５４ａは、直並列に接続されたフリップ・フロップ素子等から構成され、出力信号ＯＵＴを受けて、出力信号ＯＵＴの時間的変動を順次シフトさせながら各タップのタップ値として保持及び出力する。ウエイト乗算部５４ｂは、シフト部５４ａの各タップに対して１つずつ設けられた乗算器で構成される。ウエイト乗算部５４ｂの各乗算器は、シフト部５４ａの各タップのタップ値に対してタップ毎に設定されたウエイトの値を乗算して出力する。各タップに対するウエイトの値は、上記のように、ウエイト用バッファ５２にタップ毎に設定されたものである。加算部５４ｃは、ウエイト乗算部５４ｂの各乗算器から出力された値を加算して出力する。このようにして、ＦＢ側等化器２０４におけるフィードバック処理による受信波に対するノイズ除去が行われる。
【００３３】
更新制御部５６は、ウエイト評価部４６から更新制御信号を受け、マルチプレクサ６０へ切替制御信号を出力する。マルチプレクサ６０は、切替制御信号に応じて、通常時と遅延更新時とのステップサイズを切り替えて出力する。すなわち、マルチプレクサ６０は、ウエイト評価部４６において加算器４４から出力されたウエイトの値の合計値が第１の閾値未満と評価された場合には通常時における各ウエイトに対するステップサイズを選択して出力する。一方、マルチプレクサ６０は、ウエイト評価部４６において加算器４４から出力されたウエイトの値の合計値が第１の閾値以上と評価された場合には遅延更新時における各ウエイトに対するステップサイズを選択して出力する。
【００３４】
ここで、通常時における各ウエイトに対するステップサイズは、遅延更新時における各ウエイトに対するステップサイズより大きいものとする。すなわち、加算器４４から出力されたウエイトの値の合計値が第１の閾値未満である場合、加算器４４から出力されたウエイトの値の合計値が第１の閾値以上の場合よりも各ウエイトに対するステップサイズは大きく設定され、各ウエイトの値は１回の更新でより大きく増減させられる。
【００３５】
ウエイトの値の合計値が大きくなることは出力信号ＯＵＴに対するＦＢ側等化器２０４の影響が大きくなることを意味する。上記のように、ウエイトの値の合計値が第１の閾値以上の場合に各ウエイトに対するステップサイズをより小さくすることによって、各ウエイトの値の１回の更新による変動を小さくすることができ、ウエイトの値の合計値が急激に増加することを回避することができる。これにより、ＦＢ側等化器２０４が発振器として作用することを抑制することができる。
【００３６】
なお、本実施の形態では、ステップサイズの切り替えは２段階で行う形態としたが、ウエイトの値の合計値に応じて３段階以上で行ってもよい。すなわち、ウエイトの値の合計値が大きくなるにつれて、各ウエイトに対するステップサイズがより小さくなるように多段階に切り替えを行ってもよい。
【００３７】
更新停止部５８は、ウエイト評価部４６から更新停止信号を受け、マルチプレクサ４２へ切替制御信号を出力する。マルチプレクサ４２は、切替制御信号に応じて、各ウエイトに対するステップサイズとして加算器４４から出力される更新された各ウエイトの値又はウエイト用バッファ５２に保持されている現在の各ウエイトの値を切り替えて出力する。すなわち、マルチプレクサ４２は、ウエイト評価部４６において加算器４４から出力されたウエイトの値の合計値が第２の閾値未満と評価された場合には加算器４４から出力される更新された各ウエイトの値を選択して出力する。一方、マルチプレクサ４２は、ウエイト評価部４６において加算器４４から出力されたウエイトの値の合計値が第２の閾値以上と評価された場合にはウエイト用バッファ５２に保持されている現在の各ウエイトの値を選択して出力する。
【００３８】
これにより、加算器４４から出力されたウエイトの値の合計値が第２の閾値未満である場合、ウエイト用バッファ５２及びフィルタ部５４には加算器４４から出力される新たなウエイトの値が入力され、その新たなウエイトの値を用いてフィルタリングが行われる。一方、加算器４４から出力されたウエイトの値の合計値が第２の閾値以上の場合、ウエイト用バッファ５２及びフィルタ部５４には現在のウエイトの値がそのまま入力され、現在のウエイトの値が更新されないままフィルタリングが行われる。
【００３９】
したがって、ウエイトの値の合計値が第２の閾値以上となった場合に各ウエイトの更新を停止し、ウエイトの値の合計値がさらに増加することを回避することができる。これにより、ＦＢ側等化器２０４が発振器として作用することを抑制することができる。
【００４０】
なお、第２の閾値は、第１の閾値よりも大きい値とすることが好適である。これにより、ウエイトの値の合計値が大きくなるにつれて、第１の閾値を超えるとマルチプレクサ６０におけるステップサイズの変更が行われ、その後、さらに第２の閾値を超えるとウエイトの値の更新が停止される。
【００４１】
加算部２０６は、ＦＦ側等化器２０２の出力とＦＢ側等化器２０４の出力とを加算して出力する。加算部２０６の出力が妨害除去回路２００の出力ＯＵＴとなる。
【００４２】
誤差算出部２０８は、レベル検出部及び加算器を含んで構成される。レベル検出部は、出力信号ＯＵＴを受けて、出力信号ＯＵＴの振幅を検出して加算器へ出力する。加算器は、レベル検出部で検出された出力信号ＯＵＴのレベルと基準強度ＲＥＦとの差分を算出し誤差信号ＥＲＲとして出力する。誤差信号ＥＲＲは、ＦＦ側等化器２０２のウエイト算出部２０とＦＢ側等化器２０４のウエイト算出部へ入力される。
【００４３】
以上のように、入力信号である受信波からマルチパス等による妨害信号成分が除去される。
【００４４】
ここで、本実施の形態のＦＦ側等化器２０２では、入力信号ＩＮである受信波の直接波に対するウエイトの値に下限値を設定することにより、ＦＦ側等化器２０２によって入力信号ＩＮが完全に除去されることを防ぐことができる。また、本実施の形態のＦＦ側等化器２０２では、入力信号ＩＮである受信波の直接波に対応するウエイト更新に用いるステップサイズをそれ以外（反射波）に対応するウエイト更新に用いるステップサイズより小さく設定することにより、ＦＦ側等化器２０２によって入力信号ＩＮが完全に除去されることを抑制することができる。
【００４５】
また、本実施の形態のＦＢ側等化器２０４では、ウエイトの値の合計が所定の閾値を超えた場合に各ウエイトに対するステップサイズをより小さく変更することにより、ＦＢ側等化器２０４が発振器として機能することを抑制することができる。また、ウエイトの値の合計が所定の閾値を超えた場合に各ウエイトに対するステップサイズを”０”にすることにより、ＦＢ側等化器２０４が発振器として機能することを防ぐことができる。
【００４６】
以上のように、出力信号ＯＵＴが入力信号ＩＮと無関係にＦＢ側等化器２０４の発振状態のみに依存することがなくなり、入力信号ＩＮに対するマルチパス等の妨害除去処理が適切に行われる。
【００４７】
＜第２の実施の形態＞
第２の実施の形態における妨害除去回路３００は、図６に示すように、フィードフォード（ＦＦ）側等化器２０２、フィードバック（ＦＢ）側等化器３０２、加算部２０６及び誤差算出部２０８を含んで構成される。妨害除去回路３００は、ＦＢ側等化器２０４がＦＢ側等化器３０２に置換されている点を除き妨害除去回路２００と構成が等しい。したがって、以下の説明ではＦＢ側等化器３０２についてのみ説明する。
【００４８】
ＦＢ側等化器３０２は、図７に示すように、ウエイト算出部４０、加算器４４、ウエイト評価部４６、ウエイトリセット制御部４８、マルチプレクサ５０、ウエイト用バッファ５２、フィルタ部５４、更新制御部５６及びマルチプレクサ６０を含んで構成される。
【００４９】
ＦＢ側等化器３０２は、図４に示したＦＢ側等化器２０４の構成からマルチプレクサ４２及び更新停止部５８を除き、ウエイトリセット制御部４８及びマルチプレクサ５０を加えた構成を有する。そこで、以下の説明ではウエイトリセット制御部４８及びマルチプレクサ５０に関することを主に説明する。
【００５０】
ウエイト評価部４６は、加算器４４から出力された新たなウエイトの値の評価を行う。ウエイト評価部４６は、加算器４４から出力されたウエイトの値の合計値が第１の閾値（ステップサイズ閾値）以上の場合に更新制御部５６に更新制御の信号を出力する。また、ウエイト評価部４６は、加算器４４から出力されたウエイトの値の合計値が第３の閾値（リセット閾値）以上の場合にウエイトリセット制御部４８にウエイトリセット信号を出力する。
【００５１】
ウエイトリセット制御部４８は、ウエイト評価部４６からウエイトリセット信号を受け、マルチプレクサ５０へ切替制御信号を出力する。マルチプレクサ５０は、切替制御信号に応じて、加算器４４からの各ウエイトの新たな値と各ウエイトの初期値とを切り替えて出力する。すなわち、マルチプレクサ５０は、ウエイト評価部４６において加算器４４から出力されたウエイトの値の合計値が第３の閾値未満と評価された場合には加算器４４から出力された新たなウエイトの値をウエイト用バッファ５２及びフィルタ部５４へ出力する。一方、マルチプレクサ５０は、ウエイト評価部４６において加算器４４から出力されたウエイトの値の合計値が第３の閾値以上と評価された場合にはウエイトの初期値をウエイト用バッファ５２及びフィルタ部５４へ出力する。
【００５２】
これにより、加算器４４から出力されたウエイトの値の合計値が第３の閾値未満である場合、加算器４４からの出力される新たなウエイトの値がウエイト用バッファ５２及びフィルタ部５４で利用される。一方、加算器４４から出力されたウエイトの値の合計値が第３の閾値以上の場合、ウエイトの値が初期化され、ウエイトの初期値がウエイト用バッファ５２及びフィルタ部５４で利用される。したがって、ウエイトの値の合計値がさらに増加することを回避することができる。これにより、ＦＢ側等化器２０４が発振器として作用することを抑制することができる。
【００５３】
なお、第３の閾値は、第１の閾値よりも大きい値とすることが好適である。これにより、ウエイトの値の合計値が大きくなるにつれて、第１の閾値を超えるとマルチプレクサ６０におけるステップサイズの変更が行われ、その後、さらに第３の閾値を超えるとウエイトの値が初期化される。
【００５４】
これにより、本実施の形態のＦＢ側等化器２０４では、ウエイトの値の合計が所定の閾値を超えた場合に各ウエイトを初期化してＦＢ側等化器２０４が発振器として機能することを防ぐことができる。
【００５５】
なお、上記２つの実施の形態における構成は適宜分割して採用したり、適宜組み合わせて採用することができる。
【符号の説明】
【００５６】
１０  ＦＦ側等化器、１２  ＦＢ側等化器、１４  加算部、１６  誤差算出部、２０  ウエイト算出部、２２  加算器、２４  ウエイト用バッファ、２６  下限制御部、２８，３０  マルチプレクサ、３２  フィルタ部、３２ａ  シフト部、３２ｂ  ウエイト乗算部、３２ｃ  加算部、４０  ウエイト算出部、４２  マルチプレクサ、４４  加算器、４６  ウエイト評価部、４８  ウエイトリセット制御部、５０  マルチプレクサ、５２  ウエイト用バッファ、５４  フィルタ部、５４ａ  シフト部、５４ｂ  ウエイト乗算部、５４ｃ  加算部、５６  更新制御部、５８  更新停止部、６０  マルチプレクサ、１００，２００，３００  妨害除去回路、２０２  フィードフォワード側等化器、２０４，３０２  フィードバック側等化器、２０６  加算部、２０８  誤差算出部。
【図１】
2012023525.tif 000003
【図２】
2012023525.tif 000004
【図３】
2012023525.tif 000005
【図４】
2012023525.tif 000006
【図５】
2012023525.tif 000007
【図６】
2012023525.tif 000008
【図７】
2012023525.tif 000009
【図８】
2012023525.tif 000010